(57)【要約】多孔性洗浄シートからなる多目的洗浄用物品が提供され、該洗浄シートは、（ａ）主成分としての水と、（ｂ）重量比で５％から４５％までの水不混和性の溶媒と、（ｃ）重量比で１．８％より少ない乳化剤とからなる水性洗浄組成物を含有し、水性洗浄組成物は、約１ｃｍ／分又はそれ以上の垂直方向吸上げ速度を有する。多孔性洗浄シートは、不織ウェブ、テキスタイル布、発泡体等のような疎水性材料を含む多くの材料のいずれか１つから構成することができる。この洗浄用物品は、皮膚、及び手指、並びにハード表面を清掃することを含む種々の表面からの水不溶性材料の除去が可能である。
2004536165.tif 000002
【特許請求の範囲】
【請求項１】
水性洗浄組成物を含有する多孔性材料からなる洗浄用物品であって、前記水性洗浄組成物が、（ａ）重量比で少なくとも約２５％の水と、（ｂ）重量比で少なくとも５％の水不混和性の溶媒と、（ｃ）重量比で１．８％又はそれ以下の乳化剤とからなり、前記水性洗浄組成物は、少なくとも０．９ｃｍ／分の垂直方向吸上げ速度を有することを特徴とする洗浄用物品。
【請求項２】
前記多孔性材料は、疎水性材料を含むことを特徴とする請求項１に記載の洗浄用物品。
【請求項３】
前記水性洗浄組成物はさらに、約０．５％から２０％までの間のヒドロトロープを含有することを特徴とする請求項２に記載の洗浄用物品。
【請求項４】
前記水不混和性の溶媒は、前記水性洗浄組成物の重量比で５％から４５％までの間を構成し、植物油、動物油、鉱油、植物油エステル、エモリエント・エステル、エモリエント・ジエステル、グリコールエーテル、テルペン、石油蒸留物、及びこれらの誘導体からなる群から選択されることを特徴とする請求項２に記載の洗浄用物品。
【請求項５】
前記乳化剤は、多糖エーテル、ポリグリコシド、脂肪酸誘導体、脂肪アルコール、アミンオキシド、水溶性セルロース誘導体、スルホン酸アルキル、エトキシレート化アルキルフェノール、アルカノールアミド、ベタイン、ツビッタイオニックス、カルボキシレート化アルコール、カルボン酸、エトキシレート化アルコール、及びこれらの誘導体からなる群から選択されることを特徴とする請求項２に記載の洗浄用物品。
【請求項６】
前記乳化剤は、脂肪アルコールを含むことを特徴とする請求項４に記載の洗浄用物品。
【請求項７】
前記乳化剤は、トリデシルエーテルアルコールを含むことを特徴とする請求項４に記載の洗浄用物品。
【請求項８】
前記乳化剤は、アルキルポリグリコシドを含むことを特徴とする請求項４に記載の洗浄用物品。
【請求項９】
前記乳化剤は、アミンオキシドを含むことを特徴とする請求項４に記載の洗浄用物品。
【請求項１０】
前記乳化剤は、カルボン酸か又はその誘導体を含むことを特徴とする請求項４に記載の洗浄用物品。
【請求項１１】
前記水不混和性溶媒は、テルペンを含むことを特徴とする請求項４に記載の洗浄用物品。
【請求項１２】
前記乳化剤は、前記水性洗浄組成物の重量比で０．５％から１．６％までの間を構成し、そしてさらに、前記水不混和性溶媒は、前記水性洗浄組成物の重量比で約５％から約４５％までの間を構成することを特徴とする請求項５に記載の洗浄用物品。
【請求項１３】
前記水は、前記水性洗浄組成物の重量比で少なくとも５０％を構成し、そしてさらに、前記水不混和性溶媒は、前記水性洗浄組成物の重量比で約５％から約２０％までの間を構成することを特徴とする請求項５に記載の洗浄用物品。
【請求項１４】
前記水性洗浄組成物はさらに、重量比で１％から１０％までの間の湿潤剤を含むことを特徴とする請求項１３に記載の洗浄用物品。
【請求項１５】
前記水性洗浄組成物は、重量比で約０．１％から約２０％までの間の保湿剤を含むことを特徴とする請求項１３に記載の洗浄用物品。
【請求項１６】
前記多孔性材料は、熱可塑性ポリマー繊維の疎水性不織ウェブからなり、そしてさらに、前記水性洗浄組成物は、３秒より少ない落下試験を有することを特徴とする請求項１３に記載の洗浄用物品。
【請求項１７】
前記多孔性の疎水性材料は、オレフィンポリマー繊維のメルトブローン不織ウェブからなることを特徴とする請求項１３に記載の洗浄用物品。
【請求項１８】
請求項１に記載の複数の洗浄用物品を含む洗浄用物品であって、前記多孔性材料がスタック状に与えられ、前記水性洗浄組成物が前記スタックの全体にわたって分布されたことを特徴とする洗浄用物品。
【請求項１９】
前記水性洗浄組成物は、前記スタックの全体にわたって実質的に一様に分布されたことを特徴とする請求項１８に記載の洗浄用物品。
【請求項２０】
前記多孔性材料は、複数の疎水性不織布シートからなり、前記スタックの全体にわたる前記シートの各々は、前記乾燥シートの重量に基づき少なくとも１００重量％の水性洗浄組成物を含有することを特徴とする請求項１８に記載の洗浄用物品。
【請求項２１】
熱可塑性ポリマー繊維を含む多孔性の疎水性布からなる洗浄用物品であって、前記布は、その中に水性洗浄組成物を含有し、
前記水性洗浄組成物は、（ａ）重量比で少なくとも約５０％の水と、（ｂ）重量比で５％から４５％までの水不混和性の溶媒と、（ｃ）重量比で１．８％より少ない乳化剤とからなり、前記水性洗浄組成物は、少なくとも１ｃｍ／分の垂直方向吸上げ速度を有することを特徴とする洗浄用物品。
【請求項２２】
前記乳化剤は、脂肪アルコール、アミンオキシド、及びポリグリコシドからなる群から選択されることを特徴とする請求項２１に記載の洗浄用物品。
【請求項２３】
前記水不混和性溶媒は、植物油、動物油、鉱油、植物油エステル、エモリエント・エステル、エモリエント・ジエステル、グリコールエーテル、石油蒸留物、及びこれらの誘導体からなる群から選択されることを特徴とする請求項２２に記載の洗浄用物品。
【請求項２４】
前記水不混和性溶媒は、テルペンを含むことを特徴とする請求項２３に記載の洗浄用物品。
【請求項２５】
前記乳化剤は、前記水性洗浄組成物の重量比で約０．５％から約１．６％までの間を構成することを特徴とする請求項２４に記載の洗浄用物品。
【請求項２６】
前記水不混和性溶媒は、前記水性洗浄組成物の重量比で約５％から約２０％までの間を構成することを特徴とする請求項２５に記載の洗浄用物品。
【請求項２７】
前記多孔性の布は、オレフィンポリマー繊維のメルトブローン不織ウェブからなることを特徴とする請求項２６に記載の洗浄用物品。
【請求項２８】
前記乳化剤は、多糖エーテル、ポリグリコシド、脂肪酸誘導体、脂肪アルコール、アミンオキシド、水溶性セルロース誘導体、スルホン酸アルキル、エトキシレート化アルキルフェノール、アルカノールアミド、ベタイン、ツビッタイオニックス、カルボキシレート化アルコール、カルボン酸、エトキシレート化アルコール、及びこれらの誘導体からなる群から選択されることを特徴とする請求項２１に記載の洗浄用物品。
【請求項２９】
前記水性洗浄組成物はさらに、０．５％から２０％までの間のヒドロトロープと、１％から１０％までの間の湿潤剤とを含むことを特徴とする請求項２８に記載の洗浄用物品。
【請求項３０】
請求項２９に記載の複数の洗浄用物品であって、前記多孔性の布は、複数のシートからなり、前記シートは、スタック状に与えられ、そしてさらに、前記シートの各々は、前記シートの乾燥重量に基づき、重量比で少なくとも１００％の前記水性洗浄組成物を含有することを特徴とする洗浄用物品。
【発明の詳細な説明】
【０００１】
（背景技術）
仕事場及び家庭の両方において、表面に付着すると取り除くのが困難な多くの物質が現在用いられている。例として、通常用いられる材料は、油、グリース、インク、塗料、タール、コーキング及びシーリングコンパウンド、接着剤及び糊、炭塵、ピッチ、ワニス等を含む。これらの及び同様の材料は、それらが水に混和せず、それゆえ石鹸及び水のような通常のクリーナですぐに除去することができないので、皮膚その他の表面から除去するのが困難である場合が多い。これに関しては、こうした材料を除去する一助とするために、これまで多くの洗浄組成物が特定的に調製されてきた。これらの洗浄組成物は、典型的には、グリース、インク等のような多くの水不混和性の材料を溶解し、及び／又は可溶性にする一助とするために、１つ又はそれ以上の溶媒を含む。
【０００２】
しかしながら、多くの溶媒は、それ自体水に不混和性である。しかしながら、水と水不混和性溶媒を含有する安定かつ実質的に均質な洗浄組成物は、当該技術分野において良く知られている。安定性及び均質性は、エマルジョンを形成するために１つ又はそれ以上の表面活性化剤の使用を通して達成される場合が多い。例えば、テルペンは、水に不混和性であり、それゆえ通常は１つ又はそれ以上の乳化剤と組み合わせて水性洗浄組成物に用いられる。一例として、溶媒又は洗浄成分としてｄ−リモネンを用いる水性エマルジョンは、コールマン、「Ｄ−Ｌｉｍｏｎｅｎｅ  Ａｓ  Ａ  Ｄｅｇｒｅａｓｉｎｇ  Ａｇｅｎｔ」、１９７５年１１月、Ｔｈｅ  Ｃｉｔｒｕｓ  Ｉｎｄｕｓｔｒｙ、第５６巻、Ｎｏ．１１に記載されている。例えば、コールマンの手指洗浄ローションは、水と、ｄ−リモネンと、ラノリンと、約１５％又はそれ以上の幾つかの非イオン性界面活性剤とを含む。同様に、Ｄｅｌｌｕｔｒｉの米国特許第４，６２０，９３７号は、ｄ−リモネンと、ステアリン酸と、オレイン酸と、非イオン性洗剤と、水との混合物からなる多目的クリーナを教示する。Ｄｅｌｌｕｔｒｉの好ましい例においては、非イオン性洗剤は、およそ７．５％の洗浄剤を含有する。さらに、Ｍａｔｔａの米国特許第４，５１１，４８８号は、水と、ｄ−リモネンと、カップリング剤と、重量比で１０から３０％までの界面活性剤とを含む均質の水性洗浄組成物を教示する。Ｍａｔｔａは、成分の特定の組合せを用いることによって、ｄ−リモネンのような水不混和性の溶媒を含んでいるにもかかわらず、透明で、均質で、すぐに流れることができる洗浄組成物を形成している。
【０００３】
さらに、表面の洗浄を助けるために、液体クリーナと組み合わされて種々の洗浄用物品が同様に用いられてきた。一例として、種々の拭取り材及び洗浄用物品が、Ａｎｄｅｒｓｏｎ他の米国特許第４，１００，３２４号、Ｈｏｔｃｈｋｉｓｓ他の第４，４３６，７８０号、Ｌａｍｅｒｓ他の第４，６５９，６０９号、Ｗｉｎ他の米国特許第４，８５３，２８１号、Ｗｉｎ他の第４，８３３，００３号、及びＰＣＴ公開ＷＯ００／５６２０１号に記載されている。さらに、飽和された又は予め湿らされた紙、不織材、テキスタイルその他の基体が、種々の拭取り及び洗浄用途に用いられてきた。洗浄シート又は拭取り材は、シールされた容器に入れられ、そこから飽和した又は湿った（すなわち予め湿らされた）状態で取り出される場合が多い。予め湿らされた基体は、所望の表面を洗浄するのに用いられたときに、保持していた液体を放出する。
【０００４】
上記の液体クリーナ及び物品については、溶媒を可溶性にし、なおかつ洗浄液体で疎水性表面を濡らすのを助けるそれらの能力により、乳化剤がそれの重要な成分である場合が多い。さらに、乳化剤は同様に、表面から水不混和性の材料を失わせて、それを可溶性にするのを助け、それによりそれらが洗浄面上に再び堆積しないようにする一助となる。しかしながら、多くの乳化剤はまた、皮膚の望ましくない「脱脂」作用を有する。これに関しては、多くの乳化剤が皮膚から脂を引き出し、それにより皮膚が水分を保持する能力に対して悪影響を及ぼす。乳化剤による皮膚の「脱脂」は、以下の文献、すなわち、Ｗｉｌｈｅｌｍ，Ｋ．、「Ｐｒｅｖｅｎｔｉｏｎ  ｏｆ  Ｓｕｒｆａｃｔａｎｔ−Ｉｎｄｕｃｅｄ  Ｉｒｒｉｔａｎｔ  Ｃｏｎｔａｃｔ  Ｄｅｒｍａｔｉｔｉｓ」、Ｃｕｒｒｅｎｔ  Ｐｒｏｂｌｅｍｓ  ｉｎ  Ｄｅｒｍａｔｏｌｏｇｙ、第２５巻、ｐｐ７８−８５（１９９６）、及びＭｏｒｇａｎｔｉ，Ｐ．、「Ｎａｔｕｒａｌ  Ｓｏａｐ  ａｎｄ  Ｓｙｎｄｅｔ  Ｂａｒｓ」、Ｃｏｓｍｅｔｉｃｓ＆Ｔｏｉｌｅｔｒｉｅｓ  Ｍａｇａｚｉｎｅ、第１１０巻、（１９９６年１１月）に記載される現象である。したがって、多量の乳化剤への暴露は、皮膚の乾燥及び／又は損傷を引き起こすこととなる。
【０００５】
１つ又はそれ以上の水不混和性の溶媒を組み入れた多種多様な水性クリーナ及び／又は洗浄用物品が存在するが、それらの溶媒を含有し、効果的に洗浄する一方で皮膚への物理的及び／又は化学的妨害を制限する水性洗浄組成物及び物品に対する必要性が残っている。さらに、有効な量の洗浄組成物を含有するこうした洗浄組成物を組み入れているこうした物品に対する必要性が残っている。さらには、良好な貯蔵寿命をもち安全にかつ経済的に製造することができるものを組み入れているこうした洗浄組成物及び物品に対する必要性が残っている。
【０００６】
（発明の開示）
水性洗浄組成物を含有する多孔性材料からなる本発明の洗浄用物品によって、上述の必要性が満たされ、従来技術において経験する問題が克服されるものであり、この水性洗浄組成物は、（ａ）少なくとも約２５％の水と、（ｂ）少なくとも約５％の水不混和性の溶媒と、（ｃ）１．８％より少ない乳化剤とからなる。水性洗浄組成物は、３秒より少ない落下試験を有し、及び／又は少なくとも０．９ｃｍ／分の垂直方向吸上げ速度を有することが望ましい。別の態様においては、水性洗浄組成物はさらに、約２％から２０％までの間のヒドロスコープを含有することができる。さらには、水性洗浄組成物はさらに、約０．１％から約２０％までの間の保湿剤を含有することができる。例示的な実施形態においては、多孔性材料は、例えば熱可塑性ポリマー繊維の布のような疎水性材料である。さらには、複数の洗浄シートをスタック状に与え、水性洗浄組成物をスタックの全体にわたって分布させても良い。スタックを形成する洗浄シートの各々は、乾燥シートの重量に基づき、少なくとも１００重量％の水性洗浄組成物を含有することが望ましい。
【０００７】
定義
ここで用いられる「含む」という用語は、包含的なもの即ち幅広い解釈ができるものであり、付加的な挙げられていない要素、構成成分、又は方法段階を除外するものではない。したがって、「含む」という用語は、より制限的な用語である「本質的に〜なる」及び「〜なる」を包含する。
ここで用いられる「乳化剤」という用語は、水不混和性の溶剤と水中油型又は油中水型エマルジョンを形成することができる薬剤を意味する。
ここで用いられる「水不混和性」という用語は、物質が周囲条件において重量比で０．１％より少ない水中溶解性を有することを意味する。
ここで用いられる「布」という用語は、この限りではないが、織成又は編成材料、タフテッド又はタフテッド状材料、不織ウェブ等を含む繊維網からなる材料を意味する。
【０００８】
ここで用いられる「不織」布又はウェブという用語は、相互に織り込まれているが、編布又は織布におけるように識別可能になっていない個々の繊維又は糸の構造を持つウェブのことを意味する。不織布又はウェブは、例えばメルトブロー工程、スパンボンド工程、水圧交絡、空気堆積及びカーディング工程のような多くの工程から形成されている。
ここで用いられる「多孔性材料」という用語は、その中に配置される開放領域又は間隙スペースを有する材料を含み、この開放領域又は間隙スペースは、該材料の全体を貫通して延びる必要はない。
ここで用いられる「機械方向」すなわちＭＤという用語は、製造される方向への布の方向のことを意味する。「機械横方向」すなわちＣＤという用語は、ＭＤに対して実質的に垂直な布の方向のことを意味する。
ここで用いられる「液体」という用語は、該用語の通常理解されている通りに用いられ、通常は形態に関係なしに液体のことをいい、溶液、エマルジョン、懸濁液等を含む。
ここで用いられる全ての百分率、比、及び割合は、特に指定のない限り重量によるものである。
【０００９】
（発明を実施するための最良の形態）
本発明の水性洗浄組成物は、その主成分として水を含む。水性洗浄組成物は、望ましくは少なくとも２５％の水を含み、もっと望ましくは少なくとも５０％の水を含む。水に加えて、洗浄組成物は、１つ又はそれ以上の水不混和性の溶媒を含む。これに関しては、当該技術分野において多くの水不混和性の溶媒が知られている。洗浄組成物は、望ましくは洗浄組成物の約５％から約４５％までの間を構成する１つ又はそれ以上の水不混和性の溶媒を含み、もっと望ましくは洗浄組成物の約５％から約２０％までを構成する。本発明に用いるのに適した水不混和性の溶媒は、この限りではないが、二塩基エステル、エモリエントエステル及びジエステル、テルペン、鉱油、ナフサ、グリコールエーテル、パラフィン系及びイソパラフィン系炭化水素、脂肪族炭化水素、芳香族炭化水素、石油蒸留物、植物油（すなわち野菜油、堅果油、種油等）、植物油エステル、動物油、有機ハロゲン化物、シリコン、ハロゲン化溶媒、アルコール、及びこれらの誘導体を含む。単一の水不混和性溶媒か、或いは２つ又はそれ以上の水不混和性溶媒の組合せを、本発明の洗浄組成物中に含めることができることが分かるであろう。ここで用いられる「二塩基エステル」という用語は、一価金属又はラジカルによって置換可能な２つの水素を含むエステルのことをいう。二塩基エステルの例は、この限りではないが、ジメチルグルテレート、ジメチルアジペート、及びコハク酸ジメチルを含む。例示的な植物又は動物油は、この限りではないが、大豆油、ヒマワリ油、オリーブオイル、ラノリン、トール油、パイン油、オレンジ油、及びこれらの誘導体を含む。さらに、例示的なテルペンは、この限りではないが、ｄ−リモネンとジペンテンを含む。
【００１０】
水不混和性溶媒に加えて、洗浄組成物に１つ又はそれ以上の水溶性溶媒を加えても良い。例示的な水溶性溶媒は、この限りではないが、オクチルココエート、イソソルビド、ジメチルイソソルビド、モノ及び多価アルコール、グリコールエーテル等を含む。水溶性溶媒は、約０．１％から２０％までの間の量で用いられることが望ましい。
本発明に用いるのに適した例示的な乳化剤は、この限りではないが、多糖エーテル、ポリグリコシド、脂肪酸、脂肪アルコール、アミンオキシド、水溶性セルロース誘導体、スルホン酸アルキル、エトキシレート化アルキルフェノール、アルカノールアミド、ベタイン、ツビッタイオニックス、カルボキシレート化アルコール、カルボン酸、エトキシレート化アルコール、及びこれらの誘導体を含む。単一の乳化剤か、或いは２つ又はそれ以上の乳化剤の組合せを、本発明の洗浄組成物に含めることができることが分かる。１つ又はそれ以上の乳化剤は、望ましくは洗浄組成物中に１．８％又はそれ以下の量で存在し、もっと望ましくは洗浄組成物の約０．５％から１．６％までの間を構成し、さらに望ましくは洗浄組成物の約０．８％から１．５％までの間を構成する。
【００１１】
ポリグリコシドは、当該技術分野において公知であり、上記のように、本発明の乳化剤として用いるのに非常に適している。ポリグリコシドは、望ましくはアルキルポリグリコシド、もっと望ましくは、アルキル鎖中に約８ないしは約１０個の炭素を有するアルキルポリグリコシドを含む。例示的なポリグリコシドは、米国特許第３，５４７，８２８号、第３，５９８，８６５号、第３，７７２，２６９号、第４，９３９，２４５号、第５，３８５，７５０号、及び第５，５６７，８０８号に開示されており、上記の特許の各々の内容は、引用によりここに組み入れられる。アルキルポリグリコシドは市販されており、単なる例として、ペンシルベニア州アンブラー所在のＣｏｇｎｉｓ  ＣｏｒｐｏｒａｔｉｏｎからＡＰＧ、ＧＬＵＣＯＰＯＮ及びＰＬＡＮＴＡＲＥＮという商標名で市販されている。例示的なアルキルポリグリコシドは、Ｃｏｇｎｉｓ  ＣｏｒｐｏｒａｔｉｏｎからＧＬＵＣＯＰＯＮ  ６００ＵＰという商標名で提供されるもののようなＣ10−Ｃ16アルキル置換基を有するＤ−グルコピラノシドである。別の例示的なアルキルポリグリコシドは、Ｃｏｇｎｉｓ  ＣｏｒｐｏｒａｔｉｏｎからＧＬＵＣＯＰＯＮ  ２２０ＵＰという商標名で提供されるもののような約１．４の重合度と以下の化学式をもつオクチルポリグリコシドである。
【００１２】
【化１】
2004536165.tif 000003
【００１３】
アミンオキシドは、同様に当該技術分野において公知であり、また本発明の洗浄組成物の乳化剤として用いるのに非常に適している。例示的なアミンオキシドは、この限りではないが、以下の脂肪酸、すなわち、オクチル、デシル、ラウリル、セチル、ミリスタル、ステアリル、オレイル、リノレイル、及びリノレニルから形成された誘導体を含む。さらに、例示的なアミンオキシドは、単なる例として、ベヘナミン、コカミン、コカミドプロピルアミン等を含む。
単なる例として、本発明に用いるのに適した別の乳化剤は、デオデシルベンゼン硫酸ナトリウム、コカミドＤＥＡ、コカミドプロピルベタイン、オレオベタイン、オクチルフェノキシポリエトキシエタノール、及びトリデシルエーテルアルコールを含む。さらに、例示的な市販の脂肪アルコールは、ニュージャージー州パターソン所在のＨｅｔｅｒｅｎｅ，Ｉｎｃ．から入手可能なＨＥＴＯＸＯＬ  ＴＤ−６（トリデセス−６）である。
【００１４】
さらに、１つ又はそれ以上のヒドロトロープも、水性洗浄組成物に含めることができる。ヒドロトロープは、望ましくは洗浄組成物の約２０％より少ない割合を構成し、さらに望ましくは洗浄組成物の約２％から約１０％までの間、もっと望ましくは洗浄組成物の約２％から約６％までの間を構成する。ここで用いられる「ヒドロトロープ」という用語は、乳化剤を除くものであり、１つ又はそれ以上の僅かに溶ける有機化学物質の水への溶解度を上昇させる特性をもつ薬剤を含む。本発明に用いるのに適したヒドロトロープは、この限りではないが、スルホン酸塩、アルキルリン酸塩等を含む。例示的なスルホン酸塩の例は、キシレン、クメン及びトルエンから生成されたものを含む。さらに、例示的なアルキルリン酸塩は、約６又はそれ以下の炭素原子を有するアルキル鎖をもつことが望ましい。
【００１５】
さらに、１つ又はそれ以上の湿潤剤を、同様に洗浄組成物に加えることができる。ここで用いられる「湿潤剤」という用語は、乳化剤を除くものであり、水の表面張力を減少させることによって水が容易に表面の中に透過するか又は表面上に広がる能力を向上させる特性をもつ薬剤を含む。洗浄組成物は、望ましくは約１０％より少ない湿潤剤を含み、さらに望ましくは約１％から約６％までの湿潤剤を含む。例示的な湿潤剤は、この限りではないが、プロピレングリコール及びメチルプロパンジオール、イソプロピルアルコール、エチルアルコール、ヘキシレングリコール、ジプロピレングリコール、トリプロピレングリコール、プロピレングリコールメチルエーテル、ジプロピレングリコールメチルエーテル、トリプロピレングリコールメチルエーテル、プロピレングリコールプロピルエーテル、及び、エチレングリコールブチルエーテル及びジエチレングリコールブチルエーテルのような水溶性グリコールエーテルを含む。
【００１６】
さらに、１つ又はそれ以上の保湿剤を、同様に洗浄組成物に加えることができる。本発明に用いるのに適した保湿剤は、この限りではないが、グリセロール、エトキシレート化グリセロール、乳酸ナトリウム、アセトミドモノエチルアミン等を含む。保湿剤は、望ましくは洗浄組成物の約０．１％から約２０％までの間の量で存在し、さらに望ましくは洗浄組成物の約２％から約８％までの間の量で存在する。
洗浄組成物はさらに、有効な量の１つ又はそれ以上の別の成分を含んでもよく、これには、この限りではないが、増粘剤、保存剤、エモリエント、モイスチャライザ、スキン・コンディショナ、香料、着色剤等が含まれる。さらに、洗浄組成物は、有効な量の１つ又はそれ以上の防腐剤、例えば塩化ベンジルソニウム、ジフェニルエーテル（ビス−フェニル）誘導体（例えば２，４，４’−トリクロロ−２’−ヒドロキシジフェニルエーテル）、クロロキシレノール、ヒドロキシ安息香酸のアルキルエステル等のような抗菌剤及び／又は抗生物質を含んでも良い。例えば、ＰＡＲＡＢＥＮ、ＰＣＭＸ及びＴＲＩＣＬＯＳＡＮという商標名で市販されるもののような多くの抗菌剤が市販されている。さらに、洗浄組成物は、例えば、カモミール、アラントイン等のような有効な量の１つ又はそれ以上の抗炎症剤を含んでもよい。
【００１７】
水性洗浄組成物は、洗浄用物品を形成するために多孔性材料に適用されることが望ましい。例示的な多孔性材料は、この限りではないが、不織ウェブ、多層ラミネート、連続気泡発泡体、織成及び編成材料等を含む。多孔性材料は、隣接する相互接続スペース又は開口を介して材料の厚さを通る通路を集合的に形成する個々の開口又は間隙スペースを含むことが望ましい。水性洗浄組成物は、多孔性材料の外側部分と内側部分との両方を予め湿らすか又は飽和させるために、多孔性材料に適用されることが望ましい。さらに、多孔性材料は、布を通る多くの間隙スペースを有する繊維性シートであることが望ましい。別の態様においては、ここで開示される洗浄組成物は、疎水性材料から形成された及び／又は疎水性材料を含む多孔性材料の中に用いるのにも適している。ここで用いられる「疎水性」という用語は、４５度より大きい接触角を有する材料を含む。しかしながら、本発明に用いるのに適した多くの疎水性材料は、約６０度又はそれ以上の接触角を有してもよく、さらに望ましくは、約９０度又はそれ以上の接触角を有しても良い。適切な疎水性材料は、この限りではないが、ポリオレフィン、ポリエステル、ポリアミド、及びこれに類するポリマーから形成されたものを含む。一例として、多孔性材料は、プロピレンポリマーを含んでも良い。例示的な不織布は、例えば、メルトブロー工程、スパンボンド工程、水圧交絡工程、空気堆積工程、ボンデッドカーデッドウェブ工程等のような多くの工程によって形成することができる。さらに、多孔性材料は、１つ又はそれ以上の異なる材料の多層ラミネートを含むことができる。単なる例として、本発明に用いるのに適した材料は、この限りではないが、Ａｎｄｅｒｓｏｎ他の米国特許第４，１００，３２４号、Ｍｅｉｔｎｅｒ他の第４，２９８，６４９号、Ｈｏｔｃｈｋｉｓｓ他の第４，４６３，７８０号、Ｌａｍｅｒｓ他の第４，６５９，６０９号、Ａｂｂａ他の第４，８５３，２８１号、Ｗｉｎ他の第４，８３３，００３号、Ｐｉｋｅ他の第５，３８２，４００号、Ｓａｓｓｅ他の第５，８９５，７１０号、Ｐｉｋｅ他の第５，６０５，７４９号、Ｆｉｔｔｉｎｇの第５，８５８，５０４号、Ｐｉｋｅ他の第５，７５９，９２６号、Ｍａｒｍｏｎ他の米国特許出願第０９／７６０，９６２号、及びＫｅｃｋ他の米国特許出願第０９／５３１，３００号に記載されたものを含み、上記の特許の各々の内容の全ては、引用によりここに組み入れられる。多孔性材料の寸法及び形状は、必要に応じて変えることができ、洗浄される表面の性質に従って選択される場合が多い。この材料は、当該技術分野で知られるように結合するか又は他の手法で修飾して、所望の強度、耐久性、及び／又は風合いを達成することができる。一例として、及び図１を参照すると、不織シート１０を点結合して、多くの小さな別個の結合点１４を有する不織布１２を与えることができる。単なる例として、多孔性材料は、約１０から約３５０グラム／平方メートル（ｇｓｍ）までの間の坪量をもつ場合が多く、さらに望ましくは、約１５から約２００ｇｓｍまでの間、もっと望ましくは約２０から約１００ｇｓｍまでの間の坪量をもつのがよい。
【００１８】
洗浄組成物は、多種多様な多孔性材料と組み合わせて用いるのに適しており、そしてさらに、疎水性の多孔性材料と組み合わせて及び／又は疎水性表面の洗浄に用いるのに適している。これに関しては、洗浄組成物は、望ましくは３秒より少ない、より望ましくは約１秒より少ない後述される落下試験を有するのがよい。さらに、洗浄組成物は、少なくとも約０．９ｃｍ／分（７分における垂直方向吸上げ試験に基づく）の垂直方向吸上げ速度を有し、より望ましくは少なくとも約１．０ｃｍ／分の垂直方向吸上げ速度、さらに望ましくは少なくとも約１．２ｃｍ／分の垂直方向吸上げ速度、もっと望ましくは約１．４ｃｍ／分又はそれ以上の垂直方向吸上げ速度を有するのがよい。したがって、水性洗浄組成物は、多孔性の疎水性材料の中にすぐに保持されるか又は収容され、そしてさらに、洗浄組成物は、多孔性材料の中に及び全体にわたって実質的に一様に分布することができる。
【００１９】
多くの多孔性材料を、水性洗浄組成物で予め湿らすか及び／又は飽和させることができ、洗浄組成物は、長期間にわたってスタックの全体に保持される。したがって、積み重ねられた材料を予め湿らせて、次いで必要とされるまで、シールされた容器の中に保存することができる。これに関しては、スタックの全体から取り出された拭取り材又はシートの各々は、（シートの乾燥重量に基づき）少なくとも約１００重量％の液体を含有することが望ましい。さらに、スタックの全体のシートは、実質的に同じ量の洗浄組成物を含有することが望ましい。これに関しては、シートのスタックは、時間の経過と共に液体の移動を僅かしか受けない、特に、移動を防ぐことが望ましく、スタックの上側部分は、スタックの下側部分の中の液体の量に対してかなり少ない液体を含有する。したがって、シールされた容器は、長期間の貯蔵及び／又は輸送を受けたときであっても、予め湿らされたシートを保持して、積み重ねられたシートの各々が、上から下まで、有効な量の洗浄液体を含有するようにすることができる。
【００２０】
ここで用いられる「スタック」という用語は、複数の表面対表面の界面が存在する拭取り材又はシートのどんな収集をも含むように広い意味で用いられる。これは、個々のシートの垂直方向に積み重ねられた収集を含むだけでなく、水平方向に並べられた個々のシートの収集、並びに連続するシート材料のロール状の又は折り畳まれた収集も含む。本発明に係る水平方向のスタックの場合においては、個々のシートが縁で立っているときには、洗浄組成物の濃度は、個々のシートの各々の上から下まで、及びシートからシートまでほぼ等しい濃度に維持されることが望ましい。連続するシートからなるロール状の又は折り畳まれた製品は、所望の形状及び寸法の小さい個々のシートに分離可能にする穿孔された又はオーバーボンドされた脆弱ラインを有することが望ましい。特に、ロール状に巻かれたときには、拭取り材又はシートのロール内の洗浄組成物の濃度は、容器内のロールの向きに関係なく、ほぼ等しい濃度まで平衡化される。
【００２１】
スタックは、望ましくは少なくとも約１０層を有し、より望ましくは約１０から約２５０までの間の層を有し、もっと望ましくは約２０から約２００までの間の層を有するのがよい。ここで用いられる「層」とは、布の界面の数のことをいう。これに関しては、ロール状のシートは、各回転において布の界面又は「層」をもつことが考慮される。さらに、１回又はそれ以上折り畳まれたシートは、同様に別の布の界面又は層を形成し、一例として、半分折り畳まれた状態の（例えば半分に折り畳まれる）２０の個々の重ね合わされたシートは、３９の層を形成する。図２及び図２Ａを参照すると、スタック高さ（Ｈ）は、容器２０の中の重ね合わされたシート２２の高さである。
【００２２】
湿潤積み重ねシートは、例えば、取付可能な蓋を備えたバケット、シール可能なプラスチックパウチ又はバッグ、キャニスター、ジャー、タブ等といったシールされた容器の中に長期にわたって維持することができる。湿潤積み重ねシートは、再シール可能な容器の中に維持されることが望ましい。非常に揮発性の液体組成物を用いるときには、最初のシートを用いる間に大量の液体が蒸発して、残りのシートに残存する液体が僅かになるか又は無くなるので、再シール可能な容器の使用は特に望ましい。例示的な再シール可能な容器及びディスペンサは、この限りではないが、Ｄｏｙｌｅ他の米国特許第４，１７１，０４７号、ＭｃＦａｄｙｅｎの米国特許第４，３５３，４８０号、Ｋａｓｐａｒ他の米国特許第４，７７８，０４８号、Ｊａｃｋｓｏｎ他の米国特許第４，７４１，９４４号、ＭｃＢｒｉｄｅ他の米国特許第５，５９５，７８６号に記載されているものを含み、上記の特許の内容の全ては、引用によりここに組み入れられる。シートは、使用効果を改善するために、当該技術分野において知られるように必要に応じて容器の中に組み入れるか又は配向し及び／又は必要に応じて折り畳むことができる。
【００２３】
洗浄用物品が所望の量の液体洗浄組成物を含有するように、水性洗浄組成物の選択された量が多孔性材料及び／又は容器に加えられる。シート又は拭取り材からなる多孔性材料に加えられる洗浄組成物の量は、湿らされた洗浄用物品の所望の用途及び／又は機能に応じて変わる。典型的には、積み重ねられたシート材料は、容器の中に入れられ又は形成され、その後それに液体が加えられる。予め湿らされた洗浄用物品、例えば拭取り材は、その後必要に応じて表面を処理するのに用いることができる。本発明の湿らされた及び／又は飽和された洗浄用物品は、種々の表面を処理するのに用いることができる。ここで用いられる表面「処理」とは、広い意味で用いられ、この限りではないが、拭取り、研磨、スワビング、クリーニング、洗浄、消毒、スクラビング、精練、浄化、及び／又は表面に活性化剤を適用することを含む。本発明の予め湿らされたシート又は拭取り材は、種々の表面から異物を取り除くことができる。限定的な意味をもつものではない例として、異物は、油、グリース、インク、塗料、タール、コーキング及びシーリングコンパウンド、接着剤及び糊、炭塵、ピッチ、ワニス等のような物質を含む。さらに、単なる例として、予め湿らされたシート又は拭取り材は、例えば、カウンター、テーブル、家具、作業台、窓、実験台、器具、機械部品、床、壁等のようなハード面の処理に非常に適している。適切なハード表面は、金属、ガラス、木材、石、プラスチック等を含む。さらに、シート又は拭取り材は、例えば皮膚の処理といった種々の他の表面を処理するのに用いることもできる。これに関しては、予め湿らされたシート又は拭取り材、特に不織ウェブは、手指の清掃に非常に適している。
【００２４】
試験の説明
落下試験：米国特許第４，８３３，００３号に従って作成されたポリプロピレン繊維のメルトブローンウェブの３４ｇ／ｍ2シートを、水平方向のスクリーン上に平らに横たえる。洗浄組成物の１ミリメートルの液滴を、シートの上方１．２５から２．５ｃｍまでの間の高さからシートの表面に加えた。次いで、液滴が布に吸収され及び布の表面上に広がる速度を観測した。液滴がシートに完全に吸収され、及び／又は直径１．２５ｃｍになるまで広がるのにかかる時間を測定した。
垂直方向吸上げ試験：米国特許第４，８３３，００３号に従って作成されたポリプロピレン繊維のメルトブローン繊維ウェブの３４ｇ／ｍ2シートは、２．５ｃｍ×２０ｃｍ（１インチ×８インチ）の試験片に切断される。試験片は、布の機械方向が長さ方向に走るように切断される。洗浄組成物が入っている容器又はジャーを用意する。試験片の一方の端をクランプ留めし、他方の端を、その中に２．５ｃｍ延びるように流体の中に入れる。図３に示されたのと同様の装置３０を用いることができる。試験片３４の下端におもしをかけて、試験片がカールするのを防ぎ、試験片が液体洗浄組成物４０に浸されるようにするために、ペーパークリップ３２か又は他のおもりを用いても良い。支持部ロック３６は、試験片を固定の高さに維持する。センチメートル単位の液体の移動度が、７分のときに測定される。定規３８又は他の装置を用いて、試験片の上への液体の移動度を求めることができる。
【００２５】
（実施例）
実施例１
示した量（重量パーセント）の以下の成分を混合することによって、水性洗浄組成物を調製した。すなわち、ｄ−リモネン８．８％、ひまわり種油３．０％、プロピレングリコール２．０％、アルキルポリグリコシド１．５％、ココ−カプリレート／カプレート１．０％、ブチレート化ヒドロキシトルエン０．１％、保存剤及び抗菌剤０．７％、水８２．９％である。成分は、周囲温度で混合され、次いで直ちに、高さ約１６ｃｍの穿孔された３４ｇ／ｍ2のポリプロピレンメルトブローン繊維シートのロールが入っているバケツに加えた。メルトブローン繊維シートは、Ｗｉｎ他の米国特許第４，８３３，００３号に従って作成された。水性洗浄組成物は、ロールされた布の全体にわたって移動し、それによりロールを形成するシートの各々を濡らし、及び湿らせた。
【００２６】
実施例２
示した量（重量パーセント）の以下の成分を混合することによって、水性洗浄組成物を調製した。すなわち、ｄ−リモネン８．８％、ひまわり種油３．０％、グリセリン２．０％、トリデセス−６  １．５％、ココ−カプリレート／カプレート１．０％、ブチレート化ヒドロキシトルエン０．１％、保存剤及び抗菌剤０．７％、及び水８２．９％である。成分は、周囲温度で混合され、次いで直ちに、高さ約１６ｃｍの穿孔された３４ｇ／ｍ2のメルトブローン繊維シートのロールが入っているバケツに加えた。メルトブローン繊維シートは、Ｗｉｎ他の米国特許第４，８３３，００３号に従って作成された。水性洗浄組成物は、ロールされた布の全体にわたって移動し、それによりロールを形成するシートの各々を濡らし、及び湿らせた。
【００２７】
種々の特許その他の関連資料を、組み入れられた資料と記載した明細書との間に不一致が存在する範囲まで、引用によりここに組み入れてきたが、記載した明細書を調整すべきである。さらに、本発明は、特定の実施形態及び／又はそれらの例について詳細に説明されたが、当業者であれば、本発明の精神及び範囲から逸脱することなく、本発明に種々の変更、修正その他の変形をなし得ることが分かるであろう。したがって、特許請求の範囲の請求項は、こうした変更、修正及び／又は変形の全てをカバーする又は包含することが意図されている。
【図面の簡単な説明】
【００２８】
【図１】点結合された不織拭取り材の部分的な持ち上げられた斜視図である。
【図２】シール可能な容器及び拭取り材の斜視図である。
【図２Ａ】図２の積み重ねられた拭取り材の露出された側面図である。
【図３】垂直方向吸上げ特性を求めるのに適した装置の側面図である。
【国際公開パンフレット】
2004536165.tif 000004
2004536165.tif 000005
2004536165.tif 000006
2004536165.tif 000007
2004536165.tif 000008
2004536165.tif 000009
2004536165.tif 000010
2004536165.tif 000011
2004536165.tif 000012
2004536165.tif 000013
2004536165.tif 000014
2004536165.tif 000015
2004536165.tif 000016
2004536165.tif 000017
2004536165.tif 000018
2004536165.tif 000019
2004536165.tif 000020
2004536165.tif 000021
2004536165.tif 000022
【国際公開パンフレット（コレクトバージョン）】
2004536165.tif 000023
2004536165.tif 000024
【国際調査報告】
2004536165.tif 000025
2004536165.tif 000026
2004536165.tif 000027